【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
撮像装置に取り外し可能に装着されるアクセサリ装置であって、
前記撮像装置との通信を可能とするアクセサリ通信部と、
前記アクセサリ通信部を介した前記撮像装置との通信を制御するアクセサリ制御部とを有し、
前記アクセサリ制御部は、前記通信のエラーを検出したときに、前記撮像装置に対して前記エラーの発生を知らせるエラー通知を行い、該エラー通知に対する前記撮像装置からの応答を待たずに前記通信を回復させるための通信回復処理を行うように制御することを特徴とするアクセサリ装置。
【請求項２】
前記通信回復処理は、前記アクセサリ制御部が前記撮像装置から受信して保持している情報をクリアする処理であることを特徴とする請求項１に記載のアクセサリ装置。
【請求項３】
前記アクセサリ制御部は、検出した前記エラーが前記通信回復処理を必要とするエラーか否かを判定し、
前記通信回復処理が不要である場合は、前記通信回復処理を行わずに前記撮像装置に対して前記エラー通知を行うことを特徴とする請求項１または２に記載のアクセサリ装置。
【請求項４】
前記アクセサリ制御部は、前記エラーが継続して発生する場合は前記通信回復処理を必要と判定し、前記エラーが継続して発生しない場合は前記通信回復処理を不要と判定することを特徴とする請求項３に記載のアクセサリ装置。
【請求項５】
該アクセサリ装置の振れであるアクセサリ振れに応じて、像振れを低減するためのアクセサリ防振動作を行うアクセサリ防振部を有し、
前記アクセサリ制御部は、防振情報を前記撮像装置に送信するまでに前記エラーを検出したときに前記撮像装置に対して前記エラー通知を行い、該エラー通知に対する前記撮像装置からの応答を待たずに前記通信回復処理を行うことを特徴とする請求項１から４のいずれか一項に記載のアクセサリ装置。
【請求項６】
前記アクセサリ制御部は、
前記撮像装置における前記像振れを低減するためのカメラ防振動作に用いられる防振情報を生成し、
前記通信回復処理を行っている間は、前記防振情報を生成せずに前記アクセサリ防振部に前記アクセサリ防振動作を行わせることを特徴とする請求項５に記載のアクセサリ装置。
【請求項７】
アクセサリ装置が取り外し可能に装着される撮像装置の制御装置であって、
前記アクセサリ装置との通信を可能とするカメラ通信部と、
前記カメラ通信部を介した前記アクセサリ装置との通信を制御する行うカメラ制御部とを有し、
前記カメラ制御部は、前記アクセサリ装置から前記通信のエラーの発生を知らせるエラー通知を受信したときは、該エラー通知に対する前記アクセサリ装置への応答を行わずに前記アクセサリ装置による前記通信を回復させるための通信回復処理を許容することを特徴とする制御装置。
【請求項８】
前記カメラ制御部は、前記通信のエラーを検出したときは、前記アクセサリ装置に前記通信回復処理を指示する通知を行うように制御することを特徴とする請求項７に記載の制御装置。
【請求項９】
前記アクセサリ装置において該アクセサリ装置の振れに応じて生成された防振情報を用いて像振れを低減するためのカメラ防振動作を行うカメラ防振部を有し、
前記カメラ制御部は、前記アクセサリ装置から前記防振情報を受信するまでに前記エラーの発生を知らせるための前記エラー通知を受信したときに、該エラー通知に対する前記応答を行わずに前記アクセサリ装置による前記通信回復処理を許容することを特徴とする請求項７又は８に記載の制御装置。
【請求項１０】
前記カメラ制御部は、前記エラー通知を受信した直後における前記防振情報の送信を要求する通信を行わせないように制御することを特徴とする請求項９に記載の制御装置。
【請求項１１】
前記カメラ制御部は、前記エラー通知を受信したときに、前記アクセサリ装置に該アクセサリ装置の振れを取得するタイミングを示す情報を通知することを特徴とする請求項９又は１０に記載の制御装置。
【請求項１２】
撮像装置と該撮像装置に取り外し可能に装着されるアクセサリ装置とを含む撮像システムであって、
前記アクセサリ装置は、前記撮像装置との通信を可能とするアクセサリ通信部と、前記アクセサリ通信部を介した前記撮像装置との通信を制御するアクセサリ制御部とを有し、
前記撮像装置は、前記アクセサリ装置との通信を可能とするカメラ通信部と、該カメラ通信部を介した前記アクセサリ装置との通信を制御するカメラ制御部とを有し、
前記アクセサリ装置により前記撮像装置との前記通信のエラーが検出されると、
前記アクセサリ通信部は前記撮像装置に対して前記エラーの発生を知らせるエラー通知を行い、
前記カメラ制御部は、前記エラー通知に対する前記アクセサリ装置への応答を行わず、
前記アクセサリ制御部は、前記撮像装置からの前記応答を待たずに前記通信を回復させるための通信回復処理を行うことを特徴とする撮像システム。
【請求項１３】
撮像装置に取り外し可能に装着されるアクセサリ装置の通信制御方法であって、
前記撮像装置との通信を行わせる工程と、
前記通信のエラーを検出したときは、前記撮像装置に対して前記エラーの発生を知らせるエラー通知を行わせ、該エラー通知に対する前記撮像装置からの応答を待たずに前記通信を回復させるための通信回復処理を行わせる工程と、を有することを特徴とするアクセサリ装置の通信制御方法。
【請求項１４】
アクセサリ装置が取り外し可能に装着される撮像装置の通信制御方法であって、
前記アクセサリ装置との通信を行わせる工程と、
前記アクセサリ装置から前記通信のエラーの発生を知らせるエラー通知を受信したときは、該撮像装置に前記エラー通知に対する前記アクセサリ装置への応答を行わせずに前記アクセサリ装置による前記通信を回復させるための通信回復処理を許容させる工程と、を有することを特徴とする撮像装置の通信制御方法。
【請求項１５】
撮像装置に取り外し可能に装着されるアクセサリ装置のコンピュータを動作させるコンピュータプログラムであって、
前記コンピュータに、
前記撮像装置との通信を行う工程と、
前記通信のエラーを検出する工程と、
前記通信のエラーを検出したときは、前記撮像装置に対して前記エラーの発生を知らせるエラー通知を行い、該エラー通知に対する前記撮像装置からの応答を待たずに前記通信を回復させるための通信回復処理を行う工程と、を有することを特徴とする通信処理プログラム。
【請求項１６】
アクセサリ装置が取り外し可能に装着される撮像装置のコンピュータを動作させるコンピュータプログラムであって、
前記コンピュータに、
前記アクセサリ装置との通信を行う工程と、
前記アクセサリ装置から前記通信のエラーの発生を知らせるエラー通知を受信したときは、該エラー通知に対する前記アクセサリ装置への応答を行わずに前記アクセサリ装置による前記通信を回復させるための通信回復処理を許容する工程と、実行させることを特徴とする通信処理プログラム。
【手続補正２】
【補正対象書類名】明細書
【補正対象項目名】発明の名称
【補正方法】変更
【補正の内容】
【発明の名称】アクセサリ装置、制御装置、撮像システム、通信制御方法および通信制御プログラム
【手続補正３】
【補正対象書類名】明細書
【補正対象項目名】０００９
【補正方法】変更
【補正の内容】
【０００９】
本発明の一側面としてのアクセサリ装置は、撮像装置に取り外し可能に装着される。該アクセサリ装置は、撮像装置との通信を可能とするアクセサリ通信部と、アクセサリ通信部を介した撮像装置との通信を制御するアクセサリ制御部とを有する。アクセサリ制御部は、通信のエラーを検出したときに、撮像装置に対してエラーの発生を知らせるエラー通知を行い、該エラー通知に対する撮像装置からの応答を待たずに通信を回復させるための通信回復処理を行うように制御することを特徴とする。
【手続補正４】
【補正対象書類名】明細書
【補正対象項目名】００１０
【補正方法】変更
【補正の内容】
【００１０】
また、本発明の他の一側面として制御装置は、アクセサリ装置が取り外し可能に装着される撮像装置の制御装置である。該制御装置は、アクセサリ装置との通信を可能とするカメラ通信部と、カメラ通信部を介したアクセサリ装置との通信を行うカメラ制御部とを有する。カメラ制御部は、アクセサリ装置から通信のエラーの発生を知らせるエラー通知を受信したときは、該エラー通知に対するアクセサリ装置への応答を行わずにアクセサリ装置による通信を回復させるための通信回復処理を許容することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】図面
【補正対象項目名】図７
【補正方法】変更
【補正の内容】
【図７】
2018033076.tif 000001